(57)【要約】　　　（修正有）【課題】　前中心部にファスナーを用いた開閉式のワンピース型若しくはセパレート型かつカップ部が独立していないタイプの衣類において、アンダーバスト近傍でファスナーが閉め難くなるのを防止する。【解決手段】　アンダーバスト部の人目につかない裏側にフック等の係止具を設け、これによりファスナーの閉に先立ち左右の衣類の当該部を、すなわち当該部のファスナーを近接させておく。【選択図】　図２
0003100485.tif 000002
【実用新案登録請求の範囲】
【請求項１】
　前中心部にファスナーを用いた開閉式のワンピース型若しくはセパレート型かつカップ部が独立していないタイプの体密着型の衣類であって、
　アンダーバスト近傍の上方でファスナー部かつ閉時外部から見えない箇所に１点型の左右の係止具を有していることを特徴とする体密着型の衣類。
【請求項２】
　請求項１記載の体密着型の衣類であって、
　前記１点型の左右の係止具は、ホック、ボタン、簡易ボタンのいずれかであることを特徴とする体密着型の衣類。
【請求項３】
　請求項１若しくは請求項２記載の体密着型の衣類であって、
　前記体密着型の衣類は水着、ウェットスーツ若しくはレオタードであることを特徴とする体密着型の衣類。
【請求項４】
　請求項１、請求項２若しくは請求項３記載の体密着型の衣類であって、
　上記ファスナーは、左右のいずれか一方または双方の硬質止め具列の背後には裏当ての布地があり、かつ該裏当ての布地に前記１点型の左右の係止具の硬質部材が取付けられていることを特徴とする体密着型の衣類。
【考案の詳細な説明】
【技術分野】
【０００１】
　本考案は体密着型の衣類に関し、特に前中心部にファスナーを用いた開閉式の水着、レオタード等に関する。
【背景技術】
【０００２】
　従来より、体密着型の衣類、特に女性用の水着やウェットスーツその他ケースによってはレオタード等には体の前部中心バスト部に、握り部付きの鍵が上下に動いて開閉するファスナー（チャック）がよく用いられている。これを、図１に示す。本図の（Ａ）はワンピース型の女性用の水着またはウェットスーツであり、（Ｂ）は同じくセパレート型の水着またはウェットスーツである。そして、本図の１は体前面の中心胸部にあるファスナーである。８はワンピース型の水着本体である。９１はセパレート型の水着本体の上半部であり、１２はユーザーがその握り部を上下動させてファスナーの左右方向への開閉を行う鍵である。９２は下半部である。
【０００３】
　そして、海水浴等ではユーザーはこのファスナーの握り部を上下させてファスナーを開閉してこの水着の着脱を行う。
【考案の開示】
【考案が解決しようとする課題】
【０００４】
　しかしながら、上記従来の前開きのカップ部が独立していないタイプの水着やウェットスーツは、体の線を極力美しく見せようとするデザイン上の要請、出来る限り動き易い、特に泳ぎ易いようにするという水着やウェットスーツ本来の機能を充たさんがために、アンダーバスト部からトップバスト部にかけて、更にはチェスト部に至る部分が平面的に作られている。しかし、特にアンダーバストからトップバスト方向にかけて大きな曲面を有する体に、平面的な衣類を着用することから、アンダーバストから上に向って、乳房のボリュームを押しつぶしながらファスナーを閉じることとなり、ファスナーのみで閉じることに困難を生じることがある。このため空いている手でバスト部に対応する部分の左右の布を引き寄せたり、左右の手で引き寄せた布を片手で押える等体の屈曲を出来るだけ少なくするための措置を必要としていた。
【０００５】
　特に、水着やウェットスーツその他ケースあるいはデザインによってはレオタード等の体操用衣類は、更に海水や汗により濡れた布地が体面に密着することが多いため、かかる事態が生じ易い。
【０００６】
　といって、ファスナーの鍵の握り部を大きくしたり、水着やウェットスーツを体に緩やかに製造したり、ファスナーを他の位置に持っていったり、他の開閉具を使用したりするのは、衣類の性質上からも好ましくない。
【０００７】
　このため、体の前方中心部、左右の乳房間にファスナーを用いた開閉式のワンピース型若しくはセパレート型かつカップ部が独立していない水着やウェットスーツにおいて、かかる欠点あるいは不便のない水着やウェットスーツの、より一般的にはかかる欠点のない体密着型の衣類の開発が望まれていた。
【課題を解決するための手段】
【０００８】
　本考案は、以上の課題を解決することを目的としてなされたものであり、アンダーバスト部近傍かつ上方のファスナー部に、ファスナーによる閉に先立って衣類の左右のバスト部近辺のファスナー間を接近させた状態に保持するホック等を設けたものである。すなわち、体の前部、左右の乳房間にファスナーを用いた開閉式の体密着型のかつビキニのブラジャーのごとくカップ部が独立していることのない衣類例えばワンピース型やセパレート型の水着（の上半着のみを含む）において、アンダーバスト近傍のファスナー部（例えばファスナーの金具の裏当部や取付け部、乳房カップの下部でファスナーの近く等）、かつユーザーが着た状態では外部からは見えなくなる位置、そして勿論ユーザーが取り扱い易い位置に、ユーザーがファスナーの鍵の握り部を手で持って上部へ引上げてファスナーを閉じるに先立ち、アンダーバスト部の左右のファスナーを近接した位置に保持するためのホック、ボタン等の１点型の係止具を少くも１組有している。
【０００９】
　またこの際、ファスナーの左右の相嵌合し合う硬部の部分には、ユーザーの肌を痛めたりユーザーに不快感を生じさせないように裏地が当てられるが、この部分にボタン等を配置するようにしている。
【００１０】
　これにより、かかる水着の着脱に際してユーザーによるファスナーの閉が、そして開もやり易くなる。
【考案の効果】
【００１１】
　本考案によれば、前中心部にファスナーを用いた開閉式のワンピース型若しくはセパレータ型かつカップ部が独立しているタイプの水着等において、ファスナーの閉に先立ちホック等でアンダーバスト近傍の左右のファスナーを近くに引き寄せているので、ファスナーの閉が当該部の体の曲線から生じる開の力に妨げられることがなく、容易になしうる。しかも、水着のデザインを含めた機能に悪影響を及ぼさない。
【考案を実施するための最良の形態】
【００１２】
　以下、本考案をその実施の形態に基づいて説明する。
【００１３】
　図２は、本考案の実施の形態の水着の要部の構成を示す図である。本図は、本考案のホックが見易いようにチャック１を開とした状態で図上左側（ユーザーの右側）の水着のホック部を裏返した様子を示す図である。
【００１４】
　本図において、２１は雌側の硬質プラスチック製のホック本体であり、２２は同じく硬質プラスチック製の雄側のホック本体である。８１は、ユーザーの右側のバストカップである。８２と８３は、バストカップ下方の補強と取付けを兼ねた上下の帯状の薄地である。８０は、水着の背側の裏地である。１３は、右側のファスナー本体（噛み合う部分）であり、１４は右側のファスナー本体であり、これらはいずれも硬質プラスチック製である。７１は、ユーザーの左側のファスナーの裏当てであり左側の硬いファスナー本体が直接人の肌に触れるのを防止するものである。
【００１５】
　７２は、ユーザーの右側のファスナー本体を水着本体の開閉部の右端に縫い付けるためファスナーメーカによりファスナー本体と一体に形成された比較的強度のある布地部の端部である。３３はユーザーから見て左側のホック本体２１を水着本体のファスナーの裏地８０に取付けるための布地である。なおこの布地は、右側のファスナーの裏当ての布地に取付けられている。３２は、右側のホック本体を水着本体に取付けるための布地である。
【００１６】
　そしてこの布地は、右側のファスナー本体を水着本体に取付けるため一体に形成された布地部の端部７２とバストカップ下部の補強と取付け用の上下の帯状の衣８２、８３に縫い付けられている。
【００１７】
　さてユーザーは、この水着を着るときには、最後に本図２では示していないファスナーの鍵の握り部を手で持って上部に引き上げてファスナーを閉じるに先立ち、この左右のホックを閉じておく。これにより、アンダーバスト近傍の水着の左右は、ひいては当該部の左右のファスナー本体部は相互に極力近くに位置することとなり、このため握り部を持って鍵を上方に引き上げてファスナーを閉じる際に、体型等との関係で引っかかったりせず、容易に閉じることが出来る。
【００１８】
　しかもこの際、ホック本体は直径が数ｍｍ、厚さは３ｍｍ程度であり、その取付け用の布地２１、２２も２ｃｍ角程度であるため、アンダーバスト部ならばその上方といえども元来が目立たない位置であり、水着の線（ライン）を崩すこともない。しかも、雌雄のホック本体は左側のファスナー本体の裏当てを介してユーザーの左右の乳房の間に位置するため違和感も生じない。しかも、強度的には充分であり、コストも安い。
第２の実施の形態
【００１９】
　本実施の形態はボタンと紐を使用するものである。これを図３に示す。本図において４１はボタンであり、４２はその係止用の紐である。ただし、技術的内容は簡単なのでその説明は省略する。
【００２０】
　以上、本考案をその実施の形態に基づいて説明してきたが、本考案は何もこれらに限定されないのは勿論である。すなわち、例えば以下のようにしていてもよい。
簡易ボタン型あるいは雌雄嵌合型のホックでなく、フックとループからなるホック等としている。
衣服は、海水の他汗等で体に密着することの多いその他の衣類、例えば体操着、各種競技用のユニフォームとしている。
左利きの人の便宜のため、フックとループ、あるいは雌雄嵌合型のホック等は左右の取付けが逆なものを各一対装備している。
【図面の簡単な説明】
【００２１】
【図１】前中心部にファスナーを用いた開閉式の水着の正面を示す図である。ワンピース型（Ａ）とセパレート型（Ｂ）とを示す。
【図２】本考案の１の実施の形態を示す図であり、アンダーバスト近傍のファスナー取付け部に設けられたホックを示す図である。
【図３】本考案の他の実施の形態の図である。
【符号の説明】
【００２２】
１　　　ファスナー
８　　　ワンピース型水着
１２　　左右を開閉する鍵
１３　　硬質プラスチック製のファスナー本体の左側
１４　　硬質プラスチック製のファスナー本体の右側
２１　　ホック本体（雌）
２２　　ホック本体（雄）
３２　　ホック取付け用布
３３　　ホック取付け用布
４１　　ボタン
４２　　ボタンの紐
７１　　ファスナーの裏当て
７２　　ファスナー本体の取付け部
８１　　水着の右側のバストカップ
８２　　右側のバストカップの下押え
８３　　右側のバストカップの下押え
９１　　セパレート型水着の上半部
９２　　セパレート型水着の下半部
【図１】
0003100485.tif 000003
【図２】
0003100485.tif 000004
【図３】
0003100485.tif 000005